(57)【要約】【課題】乗場ドアが開ききってから、運搬車両によるかご内への荷物の搬入が可能となるようにした荷物用エレベータの提供。【解決手段】本発明に係る荷物用エレベータは、乗場に設けられ、開かれた際に乗場上の水平面内に展開する着地姿勢４を形成して、フォークリフト８のかご１内への進入時にフォークリフト８が乗り上げる縦開き方式の乗場ドア３を備えている。また、かご１を乗場に呼び寄せる呼びボタンが設けられた操作盤１３と、かご１の乗場への着床に伴って、乗場ドア３を開閉させる駆動部５とを備えている。また、乗場ドア３が開かれた際に、乗場上の水平面内に展開する乗場ドア３の着地姿勢４を形成する基準領域Ａと外側部分に、フォークリフト８及び人の進入を検知する床面感知式センサ６を備えている。【選択図】図１
2017030938.tif 000002
【特許請求の範囲】
【請求項１】
上下にスライドするかごドアを有するかごに、運搬車両を用いて荷物が搬入出される荷物用エレベータにおいて、
乗場に設けられ、開かれた際に前記乗場上の水平面内に展開する着地姿勢を形成して、前記運搬車両の前記かご内への進入時に当該運搬車両が乗り上げる縦開き式の乗場ドアを備えたことを特徴とする荷物用エレベータ。
【請求項２】
請求項１に記載の荷物用エレベータにおいて、
前記乗かごを前記乗場に呼び寄せる呼びボタンが設けられた操作盤と、
前記かごの前記乗場が形成された階床への着床に伴って、前記乗場ドアを開閉させる駆動部とを備えたことを特徴とする荷物用エレベータ。
【請求項３】
請求項２に記載の荷物用エレベータにおいて、
前記乗場ドアが開かれた際に、前記乗場上の水平面内に展開する前記乗場ドアの前記着地姿勢を形成する領域を基準領域として、この基準領域と外側部分に、前記運搬車両、及び人の進入を検知する進入検知部を備えたことを特徴とする荷物用エレベータ。
【請求項４】
請求項３に記載の荷物用エレベータにおいて、
前記進入検知部は、前記基準領域を囲むように設けられる床面感知式センサから成ることを特徴とする荷物用エレベータ。
【請求項５】
請求項３または４に記載の荷物用エレベータにおいて、
前記進入検知部によって、前記運搬車両、または前記人の進入が検知されたとき、警報を発する警報器を備えたことを特徴とする荷物用エレベータ。
【請求項６】
請求項４に記載の荷物用エレベータにおいて、
前記運搬車両は、前記荷物を積載可能な爪を有するフォークリフトから成り、
前記床面感知式センサの配置領域の前記フォークリフトの進入方向に沿う寸法を、前記爪側に位置するタイヤと前記爪の先端部との間の長さ寸法よりも大きな寸法に設定したことを特徴とする荷物用エレベータ。
【請求項７】
請求項２に記載の荷物用エレベータにおいて、
前記乗場ドアの上端部分に、前記運搬車両の前記乗場ドアへの乗り上げを円滑にさせる曲面部を形成したことを特徴とする荷物用エレベータ。
【発明の詳細な説明】
【技術分野】
【０００１】
本発明は、荷物を積載したフォークリフト等の運搬車両が乗り込まれるかごを備えた荷物用エレベータに関する。
【背景技術】
【０００２】
荷物用エレベータでは、かごが階床に着床すると、かごドア及び乗場ドアが開かれ、フォークリフト等の運搬車両によってかご内への荷物の搬入や、かご内からの荷物の搬出が行われる。このような荷物用エレベータにおいて、乗場ドアが開ききる前に、フォークリフト等の運搬車両がかご方向へ進入すると、運搬車両が乗場ドアに衝突して乗場ドアが曲損し、この乗場ドアの開閉に支障をきたしてしまうことになる。
【０００３】
このような不具合を防止しようとする貨物用エレベータが特許文献１に開示されている。この特許文献１に開示された従来技術は、かごが階床に着床すると乗場ドアを上下にスライドさせるドア開閉装置を備えている。
【先行技術文献】
【特許文献】
【０００４】
【特許文献１】特開２０１４−２３７５３３号公報
【発明の概要】
【発明が解決しようとする課題】
【０００５】
特許文献１に開示された従来技術は、乗場ドアが上下方向にスライドするものであるから、運搬車両の走行速度と、乗場ドアのスライド速度との関係によっては、乗場ドアが開ききらないうちに運搬車両がかご方向に進入し、運搬車両が乗場ドアに衝突してしまう虞がある。このような衝突を生じると、前述したように、乗場ドアの曲損、開閉不良を招くことになる。
【０００６】
本発明は、前述した従来技術における実情からなされたもので、その目的は、乗場ドアが開ききってから、運搬車両によるかご内への荷物の搬入が可能となるようにした荷物用エレベータを提供することにある。
【課題を解決するための手段】
【０００７】
前記目的を達成するために、本発明に係る荷物用エレベータは、上下にスライドするかごドアを有するかごに、運搬車両を用いて荷物が搬入出される荷物用エレベータにおいて、乗場に設けられ、開かれた際に前記乗場上の水平面内に展開する着地姿勢を形成して、前記運搬車両の前記かご内への進入時に当該運搬車両が乗り上げる縦開き式の乗場ドアを備えたことを特徴としている。
【発明の効果】
【０００８】
本発明に係る荷物用エレベータは、縦開き式の乗場ドアが開かれて、乗場上の水平面内に展開する着地姿勢を形成した後に、運搬車両によってかご内へ進入することができる。すなわち本発明は、乗場ドアが開ききった後に運搬車両はかご内へ荷物を搬入することができる。すなわち本発明は、乗場ドアが開ききってから、運搬車両によるかご内への荷物の搬入が可能となるようにしてある。これにより本発明は、従来技術におけるような乗場ドアへの運搬車両の衝突の恐れがなく、従来このような衝突によって懸念されていた乗場ドアの曲損の防止、及び曲損に伴って生じる乗場ドアの開閉不良の防止を実現でき、信頼性の高い荷物用エレベータとすることができる。前述した以外の課題、構成及び効果は、以下の実施形態の説明により明らかにされる。
【図面の簡単な説明】
【０００９】
【図１】本発明に係る荷物用エレベータの一実施形態を示す側面図である。
【図２】正面図と平面図を上下に接合させた展開図で、上側部分は本実施形態に備えられる乗場ドア部分を示す正面図、下側部分は本実施形態に備えられる床面感知式センサの配置領域を示す平面図である。
【発明を実施するための形態】
【００１０】
以下、本発明に係る荷物用エレベータの実施の形態を図面に基づいて説明する。
【００１１】
図１に示すように、本実施形態に係る荷物用エレベータは、かごドア２が上下にスライドして開閉するアップスライディング方式の荷物用エレベータであり、主に荷物１１を積載した運搬車両、例えば荷物１１が積載される爪９を有するフォークリフト８ごと乗せて、または荷物１１のみをかご１内に搬入して、階床間を移動するものである。図示しないが、かご１を昇降させるために設けられる巻上機、かご１に連結され巻上機によって移動するロープ、かご１等の移動を制御する制御盤なども備えている。
【００１２】
図１，２に示すように、本実施形態は、乗場に設けられ、開かれた際に乗場上の水平面内に展開する着地姿勢４を形成して、フォークリフト８のかご１内への進入時にフォークリフト８が乗り上げられる縦開き式の乗場ドア３を備えている。
【００１３】
また本実施形態は、かご１を乗場に呼び寄せる呼びボタンが設けられた操作盤１３と、かご１の該当する階床への着床に伴って、乗場ドア３を開閉させる駆動部５とを備えている。駆動部５は、図１に示す立設された閉状態にある乗場ドア３の下端付近の左右に一対設けてある。
【００１４】
また本実施形態は、図２に示すように、乗場ドア３が開かれた際に乗場上の水平面内に展開する乗場ドア３の着地姿勢４を形成する領域を基準領域Ａとして、この基準領域Ａと外側部分に、フォークリフト８及び人の進入を検知する進入検知部を備えている。
【００１５】
この進入検知部は、例えば基準領域Ａを囲むように設けられる床面感知式センサ６から成っている。この床面感知式センサ６及び乗場ドア３は、フォークリフト８が乗っても破損することのない材質によって形成されている。
【００１６】
床面感知式センサ６の配置領域のフォークリフト８の進入方向に沿う寸法は、例えば、図１に示す爪９側に位置するタイヤ１０と爪９の先端部との間の長さ寸法よりも大きな寸法Ｌに設定してある。
【００１７】
例えば本実施形態に係る荷物用エレベータの最大積載荷重が１５００ｋｇであったとき、かご１内に乗り込むフォークリフト８の爪９側に位置するタイヤ１０から、爪９の先端部までの長さは、約８００ｍｍとなる。ここで、フォークリフト８の爪９の先端部から荷物がはみ出すことを考慮して１００ｍｍの余裕を持たせると、その長さは、約８００ｍｍ＋１００ｍｍ、すなわち約９００ｍｍとなる。このようなことから、前述の寸法Ｌは、例えば約９００ｍｍに予め設定してある。
【００１８】
床面感知式センサ６の動作範囲は、図２のハッチングで示した配置領域の面積に相当する。この配置領域の面積、すなわち動作範囲は、
（乗場ドア３の高さ寸法＋Ｌ寸法）×（乗場ドア３の幅寸法＋２×Ｌ寸法）
となる。
【００１９】
また本実施形態は、図１，２に示すように、床面感知式センサ６によって、フォークリフト８の進入、または人の進入が検知されたとき、警報を発する警報器７を備えている。
【００２０】
また本実施形態は、図１に示すように、乗場ドア３の上端部分に、フォークリフト８の乗場ドア３への乗り上げを円滑にさせる曲面部３ａを形成してある。
【００２１】
このように構成した本実施形態の動作、すなわち、フォークリフト８の爪９に積載した荷物１１をかご１へ搬入させる際の動作を次に説明する。
【００２２】
フォークリフト８の運転者１２は、爪９に荷物１１を積載し、床面感知式センサ６の動作範囲外の位置で停止する。
【００２３】
次に、運転者１２は、操作盤１３の呼びボタンを操作する。これにより、かご１が該当する乗場のある階床まで走行する。かご１が階床に着床すると駆動部５が作動し、それまで閉状態に維持されていた乗場ドア３が下方に回動して開かれ、この乗場ドア３は乗場上の水平面内に展開する着地姿勢４となる。
【００２４】
この状態において、運転者１２はフォークリフト８に乗り込み、床面感知式センサ６上の走行を介して乗場ドア３上に乗り上げ、例えば爪９に荷物１１を積載した状態でかご１内に乗り込む。このように、乗場ドア３が完全に開いた状態で、爪９に荷物１１を積載したフォークリフト８がかご１内に乗り込むことが行われる。乗場ドア３が開かれた状態にあって、フォークリフト８、及び運転者１２等が床面感知式センサ６上に進入した際には、警報器７は作動しない状態に保たれる。すなわち、警報器７から警報は発せられない。
【００２５】
その後、例えばフォークリフト８を乗せたかご１が、所定の階床まで移動する。その所定の階床で、かごドア２及び乗場ドア３が開かれて、爪９に荷物１１を積載したフォークリフト８がかご１から退出する。
【００２６】
なお、かご１が階床に到着後、乗場ドア３の開動作が始まったものの、完全に開ききっていない状態で、運転者１２、あるいは歩行者等が床面感知式センサ６の動作範囲内に進入したときは、警報器７が作動して、例えば５秒間警報が発せられる。その後も床面感知式センサ６の動作範囲内に運転者１２等が位置しているときには、駆動部５が作動し、乗場ドア２がそれまでの開動作から反転して、閉動作が開始されるようになっている。
【００２７】
以上のように、本実施形態に係る荷物用エレベータは、縦開き式の乗場ドア３が開かれて、乗場上の水平面内に展開する着地姿勢４が形成された後に、フォークリフト８によってかご１内への荷物１１の搬入が行われる。すなわち本実施形態は、乗場ドア３が完全に開いてから、フォークリフト８によるかご１内への荷物の搬入が可能となるようにしてある。これにより本実施形態は、乗場ドア３へのフォークリフト８の衝突の虞がなく、この衝突による乗場ドア３の曲損を防ぐことができ、また、曲損に伴って生じる乗場ドア３の開閉不良を防ぐことができ、信頼性の高い荷物用エレベータを実現させることができる。
【００２８】
また本実施形態は、乗場ドア３が完全に開ききらないうちに、すなわち乗場ドア３が乗場上の水平面内に展開される着地姿勢４に至らないうちに、動作範囲内に歩行者等が進入した際に、進入した歩行者等に退去を促す警報を発する床面感知式センサ６を備えていることから、開動作中の乗場ドア３と乗場床面との間に歩行者等が挟まれることを防止でき、歩行者等に対する安全性を確保することができる。
【００２９】
また本実施形態は、乗場ドア３が開閉動作中にフォークリフト８の先端部が床面感知式センサ６の動作範囲内に位置することがあっても、乗場ドア３の先端部とフォークリフト８の爪９の先端部とが干渉しないように考慮した床面感知式センサ６の動作範囲の寸法に予め設定してあるので、このような乗場ドア３の開閉動作中にフォークリフト８の先端部が乗場ドア３に接触することを防ぐことができる、したがって、フォークリフト８の先端部の接触による乗場ドア３の損傷、開閉不良を防ぐことができる。
【００３０】
なお、前述した実施形態にあっては、フォークリフト８及び人の進入を検知する進入検知部として、床面感知式センサ６を設けた構成にしてあるが、本発明は、このように床面感知式センサ６を設けることには限定されない。例えば進入検知部として例えば、図２のハッチングで示す床面感知式センサ６の動作範囲の外縁部分を形成する４隅の位置のそれぞれに柱を立設し、これらの柱のそれぞれに、フォークリフト８及び人の進入を検知する赤外線を出射する投光部、及び投光部から出射された赤外線を受光する受光部を設けた構成とすることもできる。
【００３１】
また、前述した実施形態では、かご１内に搬入出される荷物１１を積載する運搬車両としてフォークリフト８を挙げたが、荷物１１を積載する車両は、フォークリフト８には限定されない。
【００３２】
本発明は前述した実施形態に限定されず、本発明の要旨を逸脱しない範囲で種々の変形が可能であり、特許請求の範囲に記載された技術思想に含まれる技術的事項の全てが本発明の対象となる。前述した実施形態は、好適な例を示したものであるが、当業者ならば、本明細書に開示の内容から、各種の代替例、修正例、変形例あるいは改良例を実現することができ、これらは添付の特許請求の範囲に記載された技術的範囲に含まれる。
【符号の説明】
【００３３】
１    かご
２    かごドア
３    乗場ドア
３ａ  曲面部
４    着地姿勢
５    駆動部
６    床面感知式センサ（進入検知部）
７    警報器
８    フォークリフト（運搬車両）
９    爪
１０  タイヤ
１１  荷物
１２  運転者
１３  操作盤
Ａ    基準領域
【図１】
2017030938.tif 000003
【図２】
2017030938.tif 000004